(57)【要約】本発明は、無線リンクを介してデータを送信するように適合された送信器にリソースを割り振る方法であって、データは、リソース割振り機構によって割り振られた物理リソース・ブロックで送信され、前記物理リソース・ブロックは、その周波数拡張部およびその時間拡張部によって定義され、自動再送要求プロトコルが、フィードバック・メッセージを介して、エラーを伴っておよび／または正しく受信されたデータをシグナリングするのに使用される、方法に関する。本発明によれば、この方法は、前記送信器によるデータのさらなる送信の場合に使用される物理リソース・ブロックの新しい周波数拡張部および／または時間拡張部に関する情報を前記フィードバック・メッセージに含めるステップを含むことを特徴とする。
2010530194.tif 000002
【特許請求の範囲】
【請求項１】
無線リンクを介して移動無線通信網内の受信器にデータを送信するように適合された送信器にリソースを割り振る方法であって、前記データは、リソース割振り機構によって割り振られた物理リソース・ブロックで送信され、前記物理リソース・ブロックは、その周波数拡張部およびその時間拡張部によって定義され、自動再送要求プロトコルが、フィードバック・メッセージを介して、エラーを伴っておよび／または正しく受信されたデータをシグナリングするのに使用され、前記方法は、
前記送信器によるデータのさらなる送信に使用される、リソース無線ブロックの新しい周波数拡張部および／または時間拡張部を決定するステップと、
前記決定された新しい周波数拡張部および／または時間拡張部に関する情報を前記フィードバック・メッセージに含めるステップと
を含む、方法。
【請求項２】
前記送信器での前記フィードバック・メッセージの受信時に、前記新しい周波数拡張部および／または時間拡張部を有するリソース無線ブロックを使用してさらなるデータを送信するステップをさらに含む、請求項１に記載の方法。
【請求項３】
前記送信器での前記フィードバック・メッセージの受信時に、リソースを割り振るために前記決定された新しい周波数拡張部および／または時間拡張部に関する前記情報をスケジューラに転送するステップをさらに含み、前記スケジューラが、リソースを割り振るためにこれを考慮に入れる、請求項１に記載の方法。
【請求項４】
前記新しい周波数拡張部および／または時間拡張部に関する前記情報が、前記メッセージ内で所定の個数のビットで符号化され、ルック・アップ・テーブルを使用して復号され得る、請求項１に記載の方法。
【請求項５】
前記方法が、エラーを伴って送信されたデータの再送信を制御するのに使用され、前記方法は、エラーを伴う送信をシグナリングするフィードバック・メッセージに、前記エラーを伴って送信されたデータの前記再送信に使用すべき新しい周波数拡張部および／または時間拡張部を含めるステップを含む、請求項１に記載の方法。
【請求項６】
前記送信器と受信器との間のエア・インターフェースが、ＯＦＤＭＡテクノロジに基づく、請求項１に記載の方法。
【請求項７】
前記新しい周波数拡張部を決定する前記ステップが、エラーのある物理リソース・ブロックの前記周波数拡張部と再送信用の物理リソース・ブロックとの間の最小距離が無線チャネル・コヒーレンス帯域幅の倍数であることを保証することを含み、請求項１に記載の方法。
【請求項８】
送信器からデータを受信するために無線通信網内で使用されるように適合された受信器であって、前記データは、その周波数拡張部およびその時間拡張部によって定義される物理リソース・ブロックに含まれており、前記受信器は、自動再送要求プロトコルを実施する手段を含み、前記受信器はさらに、前記送信器へのフィードバック・メッセージを介して、エラーを伴っておよび／または正しく受信されたデータをシグナリングする手段を含み、前記受信器が
前記送信器によるデータのさらなる送信に使用される物理リソース・ブロックの新しい周波数拡張部および／または時間拡張部を決定する手段と、
前記新しい周波数拡張部および／または時間拡張部に関する情報を前記フィードバック・メッセージに含める手段とを含むことを特徴とする、受信器。
【請求項９】
無線通信システムまたは移動通信システムで使用されるように適合された基地局である、請求項８に記載の受信器。
【請求項１０】
データを受信器に送信するために無線通信網で使用されるように適合された送信器であって、前記データは、その周波数拡張部によっておよびその時間拡張部によって定義される物理リソース・ブロックに含まれており、前記送信器は、前記物理無線ブロックのエラーのあるおよび／または正しい送信時に前記受信器からフィードバック・メッセージを受信する手段を含み、前記送信器は、
当該送信器によるデータのさらなる送信に使用される物理リソース・ブロックの新しい周波数拡張部および／または時間拡張部に関する情報を前記フィードバック・メッセージから抽出する手段と、
前記新しい周波数拡張部および／または時間拡張部を有する物理リソース・ブロックを使用して前記さらなるデータを送信する手段と
を含むことを特徴とする、送信器。
【発明の詳細な説明】
【技術分野】
【０００１】
本発明は、移動無線通信網内の受信器に無線リンクを介してデータを送信するように適合された送信器にリソースを割り振る方法に関する。
【背景技術】
【０００２】
無線リンクを介するデータ送信中には、しばしば、無線信号の歪みに起因して受信されなかったかエラーを伴って受信されたいくつかのデータ部分を追跡し、再送信することが必要になる。ＡＲＱ（Ａｕｔｏｍａｔｉｃ  Ｒｅｐｅａｔ  ＲｅＱｕｅｓｔ、自動再送要求）プロトコルまたはＨＡＲＱ（Ｈｙｂｒｉｄ  Ａｕｔｏｍａｔｉｃ  Ｒｅｐｅａｔ  ｒｅＱｕｅｓｔ、ハイブリッド自動再送要求）プロトコルは、この目的のために設計されたものであり、無線リンクを介して送信されるデータの完全性を保証するためにほとんどの無線通信網で適用される。そのようなプロトコルでは、各データ・エンティティが、シーケンス番号を用いてラベル付けされる。たとえば増加する連続したシーケンス番号を有する、すべてのデータ・エンティティが受信されるかどうかを検出するのは、受信器の仕事である。シーケンス番号が、受信されたデータ・エンティティのフローの中で欠けている場合には、受信器は、欠けているデータ・エンティティのシーケンス番号を含むフィードバック・メッセージ（たとえば、ＮＡＣＫすなわちｎｏｎ  ａｃｋｎｏｗｌｅｄｇｅｍｅｎｔ（否定応答））を生成する。そのようなＮＡＣＫの受信時に、送信器（肯定的に肯定応答されるまですべてのデータ・エンティティを格納する）は、欠けているデータ・エンティティを取り出し、これを無線リンク上で再送信する。逆に、データが正しく受信される場合には、肯定の肯定応答（たとえば、ＡＣＫ）が、送信器に送り返される。図１に、従来技術で既知のＨＡＲＱ機構を実施する送信器と受信器との間のメッセージ・フローを示す。リソースは、スケジューラによって送信器に割り振られる。送信器は、このリソースを使用してユーザ・データを受信器に送信する。この送信は、たとえば悪いチャネル状態に起因して不成功である。受信器は、この欠けているデータを検出し、ＮＡＣＫメッセージを送信器に送り返す。オプションで、動的リソース割振りの場合には、送信器は、スケジューラから新しいリソース割振りを得、この新しいリソースを使用してユーザ・データを受信器に再送信する。静的リソース割振りの場合には、送信器は、以前に割り振られたものと同一のリソース上でユーザ・データを繰り返す。
【０００３】
この基本的機構は、異なる無線通信網の要件および制約に依存する異なる改善によって適合されてきた。
【０００４】
ＯＦＤＭベースのエア・インターフェースは、エア・インターフェース上の送信のデータ・レートを高めるために、ますます使用されてきた。そのようなＯＦＤＭシステムは、異なる（直交する）副搬送波を並列に使用して、エア・インターフェースを介してデータを送信できるという事実に基づく。これらのシステムでは、時間拡張部および周波数拡張部が、データ・エンティティの拡張部を定義するのに使用される。そのようなデータ・エンティティは、連続する副搬送波のセットからなり事前定義の時間拡張部を有するいわゆる物理リソース・ブロック（ＰＲＢ）である。
【０００５】
副搬送波の一部のセットが、どちらかと言えば長い時間期間にわたって悪い無線チャネル品質を経験し、ユーザ・データの最初の送信だけではなく、副搬送波の同一セットでのその再送信も、成功の送信を可能にしないどちらかと言えば高い確率を有することをもたらす場合がある。
【０００６】
エラーのある送信の場合に、最初の送信に使用されたリソースの外のリソースを割り振ることが提案されてきた。その結果、再送信に関するリソース割振り機構は、再送信ＲＰＢが周波数領域での無線チャネル・コヒーレンス帯域幅の倍数または時間領域での無線チャネル・コヒーレンス時間の倍数だけシフトされるようにするために、選択されたエラーのあるＲＰＢへの最小距離を好ましくは有するＲＰＢを選択することができる。
【０００７】
周波数拡張部および時間拡張部でのそのようなシフトは、送信器がよりよいチャネル状態に適合するために、送信器に通信されなければならない。そのようなフィードバックは、送信器が送信器と受信器との両方に既知の決定的周波数拡張部シフトを適用する場合には、不要である。そのような決定的方式は、それにもかかわらず、最適ではない。
【０００８】
ユーザ・データの再送信用の非決定的新規リソース割振りの場合に、新しい周波数拡張部および／または時間拡張部は、受信器またはリソース・スケジューリングの責任を負う任意の他の網エンティティによって送信器にフィードバック・メッセージを介して通信されなければならない。通常、このエンティティは、３ＧＰＰ  ＬＴＥシステムで定義される無線通信システム用のｅ−ＮＢ（ｅｎｈａｎｃｅｄ  Ｎｏｄｅ  Ｂ）内にある。代替案では、これを網の任意の他の中央エンティティに配置するか、その中にあるものとすることができる。
【０００９】
通常、Ｌ１／ｌ２制御チャネルは、動的リソース割当のシグナリングに使用される。５ＭＨｚ帯域幅の場合に、Ｌ１／Ｌ２制御チャネルの容量は、送信方向ごとにリソース割当の約５から６個のシグナリングに制限され、これを超えない。再送信の場合のリソース割当のシグナリングにこの機構を使用することは、初期送信のリソース割当をシグナリングする可能性を大きく制限し、システム内の新規リソース割振りの枯渇を引き起こし、特に劣化したチャネル状態を経験させる。
【発明の概要】
【発明が解決しようとする課題】
【００１０】
本発明の特定の目的は、特に多搬送波無線通信網での、データのさらなる送信用のリソース割当の改善されたシグナリングを提供することである。
【００１１】
本発明のもう１つの目的は、この方法を実行するように適合された、対応する送信器および受信器を提供することである。
【課題を解決するための手段】
【００１２】
上記の目的および下で示される他の目的は、請求項１に記載の移動無線通信網内の送信器と受信器との間の無線リンクを介してエラーを伴って送信されたデータの再送信を制御する方法、請求項８に記載の受信器、および請求項１０に記載の送信器によって達成される。
【００１３】
本発明によれば、ＡＲＱ／ＨＡＲＱプロトコルによるフィードバック・メッセージの生成時に、新しい周波数拡張部およびまたは時間拡張部が、前記送信器でのデータのさらなる送信に使用される物理リソース・ブロックのために決定される。新しい周波数拡張部および／または時間拡張部を一義的に取り出すことを可能にする情報が、送信器に送信されるフィードバック・メッセージに含められる。本発明に従って変更されたフィードバック・メッセージの受信時に、送信器は、さらなる送信のために割り振られたリソースの新しい周波数拡張部および／または時間拡張部を取り出し、さらなるデータを、新たに割り振られたリソース内で送信する。
【００１４】
第１実施形態では、肯定のフィードバック・メッセージが送信器に送信される場合に、新たに割り振られたリソースは、新しいデータの送信に使用される。
【００１５】
第２実施形態では、否定のフィードバック・メッセージが送信器に送信される場合に、新たに割り振られたリソースは、エラーを伴って送信されたデータの再送信に使用される。
【００１６】
本発明による方法は、フィードバック・メッセージ（ＡＣＫ、ＮＡＣＫ）のシグナリングを、データのさらなる送信のために割り振られる新しいリソースのシグナリングと組み合わせるという利点を提示する。
【００１７】
本発明のもう１つの利点は、Ｌ１／Ｌ２制御チャネルで実行される時の初期送信用のリソース割当の容量に影響しないことにある。したがって、初期送信のリソース割当は、この容量が、スケジューリングされる必要がある再送信の回数にかかわりなく一定のままになるので、チャネル品質に全く依存しない。
【００１８】
本発明のさらなる有利な特徴は、従属請求項で定義される。
【００１９】
本発明の他の特性および利点は、非限定的な例示として与えられる好ましい実施形態の次の説明を読む時に、および添付図面から明白になる。
【図面の簡単な説明】
【００２０】
【図１】従来技術で既知のＨＡＲＱ機構を実施する送信器と受信器との間のメッセージ・フローを示す図である。
【図２】データが本発明による再送信制御を使用してアップリンク方向で送信される時の端末と基地局との間のメッセージ・フローを詳細に示す図である。
【図３】データが本発明による再送信制御を使用してダウンリンク方向で送信される時の端末と基地局との間のメッセージ・フローを詳細に示す図である。
【図４】本発明による変更されたフィードバック・メッセージの構造の例を示す図である。
【図５】本発明による基地局の実施形態を示す図である。
【図６】本発明による端末の実施形態を示す図である。
【発明を実施するための形態】
【００２１】
図１は、従来技術に関連して既に説明した。
【００２２】
図２に、データが本発明による再送信制御を使用してアップリンク方向で送信される時の端末と基地局との間のメッセージ・フローを詳細に示す。
【００２３】
ステップ２１は、アップリンク・データを送信することを必要とする端末ＵＥにリソース（またはＰＲＢ）を割り当てることにある。このリソース割当は、好ましくは、３ＧＰＰ  ＬＴＥシステムについて予見されるように、基地局ｅｎｈａｎｃｅｄ  Ｎｏｄｅ  Ｂで実行される。それでも、スケジューリングを実行するエンティティは、必ずしも基地局ではない。スケジューリングを、網の任意の他の中央エンティティによっても実行できることを、当業者は理解するであろう。
【００２４】
ステップ２２は、端末ＵＥによって、割り振られたリソースを使用してアップリンクでユーザ・データを送信することにある。アップリンク送信は、エア・インターフェーズ上でひずめられ、基地局で正しくは受信されない。
【００２５】
ステップ２３は、基地局ｅＮＢでエラーのある送信を検出することと、エラーのあるデータの再送信に関するスケジューリング判断を生成することとにある。このために、新しいリソースが、本発明の一部ではない方法に従って決定される。考慮に入れることのできるいくつかの判断基準は、エラーのある物理リソース・ブロックの周波数拡張部と再送信用の物理リソース・ブロックとの間の最小距離が無線チャネル・コヒーレンス帯域幅の倍数であることを保証することによってリソースを選択することとすることができる。
【００２６】
物理リソース・ブロックは、ユーザに割り振ることができるリソースと理解されなければならない。リソースおよびＲＰＢは、本発明の文脈では同一の意味を有して使用される。好ましくは、ＰＲＢは、連続的または不連続のいずれかとすることのできる周波数領域内のＭ個の副搬送波のＯＦＤＭシステムにある。時間領域では、ＰＲＢは、Ｎ個の連続する時間記号（たとえば、ＯＦＤＭ記号）の拡張部を有する。
【００２７】
ＰＲＢが、周波数拡張部のみ、時間拡張部のみ、または周波数拡張部と時間拡張部との両方の混合物を有する場合に、本発明を適用できることが、当業者によって理解されるであろう。
【００２８】
やはり、基地局ｅＮＢ自体は、再送信用のリソースを決定するモジュールまたはその後に選択されたリソースの特性を適当なメッセージで基地局に通信できる網内の任意の他の中央エンティティを実施することができる。
【００２９】
ステップ２４は、本発明によれば、ユーザ・データが正しくは受信されなかったことを示す通常の情報と再送信に使用されるリソースの新しい周波数拡張部および／または時間拡張部に関連する情報とを含む変更されたＮＡＣＫメッセージを、基地局ｅＮＢで生成することおよび端末ＵＥに送信することにある。
【００３０】
ステップ２５は、ＮＡＣＫメッセージで示される新しい割り振られたリソースでユーザ・データの再送信を送信することにある。
【００３１】
方法を、変更されたＮＡＣＫフィードバック・メッセージに含まれる新しい割り振られたリソースに関する情報がエラーを伴って受信されたデータの再送信に使用される、ＮＡＣＫメッセージが送信器に送り返されるケースで説明してきた。
【００３２】
類似するプロセスを、ＡＣＫメッセージが送信器に送り返されるケースで適用できることを、当業者は理解するであろう。その場合に、送信器がさらなるデータ送信に使用しなければならない新しいリソースに関する情報を含む変更されたＡＣＫメッセージを生成することができる。このコメントは、アップリンク方向ならびにダウンリンク方向にあてはまる。
【００３３】
図３に、データが本発明による再送信制御を使用してダウンリンク方向で送信される時の端末と基地局との間のメッセージ・フローを詳細に示す。
【００３４】
ステップ３１は、ダウンリンク・データを送信するためにリソースを割り当てることにある。このリソース割当は、好ましくは、基地局（３ＧＰＰ  ＬＴＥシステムで予見されるようにｅｎｈａｎｃｅｄ  Ｎｏｄｅ  Ｂ）で実行される。スケジューリングを実行するエンティティは、それでも、必ずしも基地局ではない。スケジューリングを、網の任意の他の中央エンティティによって実行することもできることを、当業者は理解するであろう。リソース割振りは、端末にアナウンスされる。
【００３５】
ステップ３２は、割り振られたリソースを使用して、基地局ｅＮＢによってユーザ・データをダウンリンクで送信することにある。ダウンリンク送信は、エア・インターフェース上でひずめられ、端末ＵＥで正しくは受信されない。
【００３６】
ステップ３３は、端末ＵＥでエラーのある送信を検出することと、エラーのあるデータの再送信に関するスケジューリング推奨を生成することとにある。このために、新しいリソースが、本発明の一部ではない方法に従って決定される。考慮に入れることのできるいくつかの判断基準は、周波数範囲のどの部分がよいチャネル状態の対象であるかを検出するために異なる副搬送波に対して無線リンク測定を行うこととすることができる。
【００３７】
ステップ３４は、本発明によれば、ユーザ・データが正しくは受信されなかったことを示す通常の情報と再送信に使用されるリソースの新しい周波数拡張部および／または時間拡張部の推奨に関連する情報とを含む変更されたＮＡＣＫメッセージを、端末ＵＥで生成することおよびに基地局ｅＮＢに送信することにある。
【００３８】
ステップ３５は、ＮＡＣＫメッセージで示される新しい割り振られたリソースでユーザ・データの再送信を送信することにある。
【００３９】
オプションで、端末ＵＥによって決定された推奨される新しいリソースが、スケジューラによって並列に予約されたので使用可能ではない場合には、スケジューラが、別のリソースを決定し、これをＵＥにアナウンスすることができる。
【００４０】
本発明の範囲から逸脱せずに、変更されたフィードバック・メッセージの受信時に複数の異なるアクションを行えることが、当業者によって理解されるであろう。図２に関連して説明される第１のアクションは、変更されたフィードバック・メッセージの新しいリソース部分を実際に使用することとすることができる。図３に関連して説明される第２のアクションは、推奨される新しいリソースが他の既に実行されたリソース割振りと互換であるかどうかをスケジューラがチェックするために、新しいリソースの時間拡張部および周波数拡張部に関する情報をそのスケジューラに転送することのみとすることができる。もう１つの可能なアクションは、後方互換性の理由から、フィードバック・メッセージのうちで新しいリソースの時間拡張部および／または周波数拡張部を含む部分を無視することであるはずである。
【００４１】
図４に、変更されたフィードバック・メッセージの構造の例を示す。本発明によれば、再送信用に割り振られた新しいリソースに関する情報と同様にエラーを伴って受信されたデータの表示が、フィードバック・メッセージに含まれる。フィードバック値は、事前定義の個数のビット、ここではたとえば７ビットで符号化される。
【００４２】
第１ビットは、このフィードバック・メッセージが肯定の肯定応答（ＡＣＫ）または否定の肯定応答（ＮＡＣＫ）を含むかどうかを示す。この実施形態では、肯定と否定との両方の変更された肯定応答メッセージが送信される。本発明の枠組では、変更された否定の肯定応答メッセージが送信されることだけが必要である。
【００４３】
続く３ビットは、以前に割り当てられたリソースと比較した、再送信用の新しい割り当てられたリソースの周波数シフトを符号化するために使用される。その結果、０ＰＲＢから７ＰＲＢまでの周波数シフトを符号化することができる。本発明の実施形態では、これらの値は、たとえば２ＰＲＢの最小粒度の事前定義の倍数を表し、したがって、２ＰＲＢのステップで０ＰＲＢから１４ＰＲＢまでの周波数シフトを表す。
【００４４】
最後の３ビットは、以前に割り当てられたリソースと比較した、再送信用の新しい割り当てられたリソースの時間シフトを符号化するために使用される。その結果、０ＴＴＩから７ＴＴＩまでの時間シフトを符号化することができる。本発明の実施形態では、これらの値は、たとえば５ＴＴＩの最小粒度の事前定義の倍数を表し、したがって、５ＴＴＩのステップで０ＴＴＩから３５ＴＴＩまでの周波数シフトを表す。
【００４５】
周波数シフトおよび時間シフトを符号化するビット数がシステム特性に従って選択されなければならないことが、当業者によって理解されるであろう。
【００４６】
以前に割り当てられたリソースと比較したシフトを符号化するのではなく絶対値として新しい割り当てられたリソースを符号化する他の実施形態を構想することができる。それでも、この解決策は、より多くのビットを必要とする。絶対リソース値を符号化する解決策が使用される場合には、すべての可能な組合せのサブセットだけが使用されるという点で、使用すべきビット数を減らすことができる。
【００４７】
図５に、本発明による基地局の実施形態を示す。この実施形態では、基地局は、ソフト・バッファ５１、デコーダ５２、エラー・チェック・モジュール５３、上位レイヤ・モジュール５４、スケジューラ５５、およびＡＣＫ／ＮＡＣＫ生成モジュール５６を含む。
【００４８】
端末から受信されるユーザ・データは、ソフト・バッファ５１で受信され、格納され、ソフト・バッファ５１は、これらをデコーダ５２に転送する。デコーダ５２は、復号されたデータをエラー・チェック・モジュール５３に転送し、エラー・チェック・モジュール５３は、エラーのある送信が発生したかどうかを検出する。エラーのある送信の検出は、受信されたユーザ・データのＣＲＣ（巡回冗長検査）をチェックすることによって検出することができる。この計算されたＣＲＣが、ユーザ・データに対する冗長性として含まれるＣＲＣと一致しない場合には、エラーのある受信がシグナリングされる。エラーのある受信に関する他の判断基準は、ユーザ・データ・パケット・シーケンス内の欠けているユーザ・データ・シーケンス番号であるはずである。
【００４９】
ＣＲＣチェック・モジュールは、一方では、正しいユーザ・データが検出された場合に上位レイヤ・モジュール５４に接続され、他方では、スケジューラ５５およびＡＣＫ／ＮＡＣＫ生成モジュール５６に接続される。
【００５０】
スケジューラ５５は、エラー確率を下げるはずの再送信に関するよりよい適当なリソースを決定するために、エラーのあるユーザ・データの検出時にＣＲＣチェック・モジュール５３によってトリガされる。本発明によれば、スケジューラ５５は、決定された新しいリソースをＡＣＫ／ＮＡＣＫ生成モジュール５６に転送する。
【００５１】
これと並行して、ＣＲＣチェック・モジュール５３は、変更されたＮＡＣＫメッセージがさらに再送信用の新しい割り当てられたリソースの周波数拡張部および／または時間拡張部に関する情報を含むという点で、ＡＣＫ／ＮＡＣＫ生成モジュール５６が本発明に従って変更されたＡＲＱ／ＨＡＲＱプロトコルに従ってフィードバック・メッセージを生成するために、ＡＣＫ／ＮＡＣＫ生成モジュール５６をトリガする。このフィードバック・メッセージは、好ましくは、図４に示されているように構成され得る。
【００５２】
次に、ＡＣＫ／ＮＡＣＫ生成モジュール５６は、このフィードバック・メッセージをエア・インターフェースを介して端末に送り返す。
【００５３】
代替実施形態では、スケジューラ５５は、基地局の一部ではない。この場合に、基地局は、スケジューラを含むエンティティへのインターフェースを有する。基地局は、再送信の必要がある場合に、新しいリソース割振りの要求をスケジューラに送信し、インターフェースを介して、新しい決定されたリソースに関する情報を含むメッセージを得る。
【００５４】
代替実施形態では、エラーのある受信の時だけではなく、正しい受信の時にＡＣＫ／ＮＡＣＫ生成モジュールをトリガすることができる。この場合に、新しいリソースに関する情報を含む変更されたＡＣＫメッセージが、送信器に向かって送信される。
【００５５】
図６に、本発明による端末の実施形態を示す。
【００５６】
この実施形態では、端末は、ソフト・バッファ６１、デコーダ６２、エラー・チェック・モジュール６３、上位レイヤ・モジュール６４、無線チャネル測定モジュール６５、およびＡＣＫ／ＮＡＣＫ生成モジュール６６を含む。
【００５７】
基地局から受信されるユーザ・データは、ソフト・バッファ６１で受信され、格納され、ソフト・バッファ６１は、これらをデコーダ６２に転送する。デコーダ６２は、復号されたデータをエラー・チェック・モジュール６３に転送し、エラー・チェック・モジュール６３は、エラーのある送信が発生したかどうかを検出する。エラーのある送信の検出は、受信されたユーザ・データのＣＲＣ（巡回冗長検査）をチェックすることによって検出することができる。この計算されたＣＲＣが、ユーザ・データに対する冗長性として含まれるＣＲＣと一致しない場合には、エラーのある受信がシグナリングされる。エラーのある受信に関する他の判断基準は、シーケンス番号の不連続シーケンスによって検出されるユーザ・データ・パケット・シーケンス内の欠けているユーザ・データ・パケットであるはずである。
【００５８】
ＣＲＣチェック・モジュール６３は、一方では、正しいユーザ・データが検出された場合に上位レイヤ・モジュール６４に接続され、他方では、無線チャネル測定モジュール６５およびＡＣＫ／ＮＡＣＫ生成モジュール６６に接続される。
【００５９】
無線チャネル測定モジュール６５は、システムの異なる副搬送波上の現在の無線チャネル品質状況を分析し、再送信に関する減らされたエラー確率を有するはずの副搬送波を示すために、エラーのあるユーザ・データの検出時にＣＲＣチェック・モジュール５３によってトリガされる。本発明によれば、無線チャネル測定モジュール６５は、この情報をＡＣＫ／ＮＡＣＫ生成モジュール６６に転送する。
【００６０】
これと並行して、ＣＲＣチェック・モジュール６３は、変更されたフィードバック・メッセージがさらに再送信用の推奨される割り当てられるリソースの周波数拡張部および／または時間拡張部に関する情報を含むという点で、ＡＣＫ／ＮＡＣＫ生成モジュール６６が本発明に従って変更されたＡＲＱ／ＨＡＲＱプロトコルに従ってフィードバック・メッセージを生成するために、ＡＣＫ／ＮＡＣＫ生成モジュール６６をトリガする。このフィードバック・メッセージは、好ましくは、図４に示されているように構成され得る。
【００６１】
その後、ＡＣＫ／ＮＡＣＫ生成モジュール６６は、このフィードバック・メッセージを、エア・インターフェースを介して端末に送り返す。
【００６２】
この場合に、基地局に関する全リソース割振りの責任を負うスケジューラが、推奨される新しいリソースの決定について連絡されていないので、推奨されるリソースがもはや使用可能ではないことが発生する場合がある。その場合に、スケジューラは、再送信用に別のリソースを割り当てる。代替案では、変更されたフィードバック・メッセージが送信される前に、スケジューラが、端末によって再送信用の推奨されるリソースに関して知らされ、それを承認するか、別のリソースを割り当てることができることを構想することができる。
【００６３】
新しいリソースが決定される方法は本発明の必須の特徴ではないということが、当業者によって理解されるであろう。というのは、これが、複数の異なる形で発生し得るからである。
【００６４】
代替実施形態では、エラーのある受信の時だけではなく、正しい受信の時に、ＡＣＫ／ＮＡＣＫ生成モジュール６６をトリガすることができる。この場合に、新しいリソースに関する情報を含む変更されたＡＣＫメッセージが、送信器に向かって送信される。
【００６５】
本発明は、ＯＦＤＭＡベースの３ＧＰＰ  ＬＴＥダウンリンクに関するリソース割振りへの適用に特によく適するが、多数の他の無線通信網で適用することができる。
【図１】
2010530194.tif 000003
【図２】
2010530194.tif 000004
【図３】
2010530194.tif 000005
【図４】
2010530194.tif 000006
【図５】
2010530194.tif 000007
【図６】
2010530194.tif 000008
【国際調査報告】
2010530194.tif 000009
2010530194.tif 000010
2010530194.tif 000011